(57)【特許請求の範囲】
【請求項１】
芯を収納した芯タンクの後部に着脱可能に取り付けられるシャープペンシルの頭冠部材において、芯タンクに着脱可能に取り付けられる内ノブと、周面に複数の芯濃度表示を設けた尾栓と、前記芯濃度表示の１つを目視可能な表示窓を形成した外ノブとから頭冠部材を構成し、尾栓に外ノブを適宜間隔に係合可能にかつ回動可能に取り付け、かつ、内ノブに前部舌片を形成し、該前部舌片の先端は後方に向くように構成するとともに適宜外方に折り曲げて構成し、内ノブの後部に後部舌片を形成し、該後部舌片の先端が前方に向くように構成するとともに適宜外方に折り曲げて構成し、外ノブを設けた前記尾栓を内ノブの後方より被せ、該内ノブと尾栓を回動不能に構成し、内ノブの前部舌片の先端を外ノブの係止段に当接するとともに、尾栓の内面が内ノブの後部舌片を乗り越えて後部舌片の先端が尾栓の係止段に当接し、内ノブに対して尾栓は回動不能であるが外ノブは回動可能に構成し、外ノブを回動することによって使用中の芯の濃度表示が外ノブの表示窓を通して目視できるように構成したことを特徴とする芯濃度表示装置を備えるシャープペンシルの頭冠部材。
【請求項２】
芯を収納した芯タンクの後部に着脱可能に取り付けられ、押圧されることによってチャック及び芯タンクを前進させて芯を繰り出すシャープペンシルの頭冠部材において、芯タンクに着脱可能に取り付けられる内ノブと、周面に複数の芯濃度表示を設けた尾栓と、前記芯濃度表示の１つを目視可能な表示窓を形成した外ノブとから頭冠部材を構成し、尾栓に外ノブを適宜間隔に係合可能にかつ回動可能に取り付け、かつ、内ノブにＵ字形に切り欠いて前部舌片を形成し、該前部舌片の先端は後方に向くように構成するとともに適宜外方に折り曲げて構成し、内ノブの後部にＵ字形に切り欠いて後部舌片を形成し、該後部舌片の先端が前方に向くように構成するとともに適宜外方に折り曲げて構成し、外ノブを設けた前記尾栓を内ノブの後方より被せ、該内ノブと尾栓を回動不能に構成し、内ノブの前部舌片の先端を外ノブの係止段に当接するとともに、尾栓の内面が内ノブの後部舌片を乗り越えて後部舌片の先端が尾栓の係止段に当接し、内ノブに対して尾栓は回動不能であるが外ノブは回動可能に構成し、外ノブを回動することによって使用中の芯の濃度表示が外ノブの表示窓を通して目視できるように構成したことを特徴とする芯濃度表示装置を備えるシャープペンシルの頭冠部材。
【請求項３】
内ノブの後部に長手方向に伸びた凹部を形成し、かつ尾栓の内面に長手方向に伸びた突部を形成し、尾栓の突部を内ノブの凹部に係合し尾栓と内ノブが回動不能に構成したことを特徴とする請求項１又は２記載の芯濃度表示装置を備えるシャープペンシルの頭冠部材。
【発明の詳細な説明】
【０００１】
【発明の属する技術分野】
本発明は、シャープペンシルの芯の濃度を適宜選択表示することができる芯濃度表示装置を備えるシャープペンシルの頭冠部材に関するものである。
【０００２】
【従来の技術】
従来の芯濃度表示装置を備えるシャープペンシルの頭冠部材としては、例えば実開昭６０−１０５１８４号が知られている。
【０００３】
これは、外周面に芯硬度が表示され頂端面に孔が穿設されたノックカバー軸と、外周面にノックカバー軸の芯硬度表示が露呈する窓部を有し頂端面にノックカバー軸頂端面の孔よりも内径が大なる孔が形成されたリング体と、リング体の頂端面の孔の内径よりも寸大なる外径を有する頂端部とその前方にリング体の頂端面の孔に挿入可能な外径を有する筒部を有し、更に筒部の前端にノックカバー軸頂端面の孔に嵌入可能な外径を有する段部を形成したリング体押えとから成り、ノックカバー軸の外周面とリング体内周面とがリブ等により摩擦嵌合され、リング体押えの筒部がリング体の頂端面の孔に挿入されると共にその段部がノックカバー軸頂端面の孔に嵌入され、その先端がノックカバー軸内部で変形により係止されていた。
【０００４】
【発明が解決しようとする課題】
従って、リング体をノックカバー軸に回動可能に取り付けるためには、ノックカバー軸内部でリング体押えの筒部を変形させなければならず、非常に組み立てにくいという課題を有するものであった。
【０００５】
本発明は、上記課題を解決する芯濃度表示装置を備えるシャープペンシルの頭冠部材を提供することを目的とするものである。
【０００６】
【課題を解決するための手段】
本発明は、芯を収納した芯タンクの後部に着脱可能に取り付けられるシャープペンシルの頭冠部材に関するものである。
【０００７】
更に、芯タンクに着脱可能に取り付けられる内ノブと、周面に複数の芯濃度表示を設けた尾栓と、前記芯濃度表示の１つを目視可能な表示窓を形成した外ノブとから頭冠部材を構成する。この尾栓に外ノブを適宜間隔に係合可能にかつ回動可能に取り付け、かつ、内ノブにＵ字形に切り欠いて前部舌片を形成し、該前部舌片の先端は後方に向くように構成するとともに適宜外方に折り曲げて構成し、内ノブの後部にＵ字形に切り欠いて後部舌片を形成する。該後部舌片の先端が前方に向くように構成するとともに適宜外方に折り曲げて構成する。
【０００８】
次に、外ノブを設けた前記尾栓を内ノブの後方より被せ、内ノブと尾栓を回動不能に構成し、内ノブの前部舌片の先端を外ノブの係止段に当接するとともに、尾栓の内面が内ノブの後部舌片を乗り越えて後部舌片の先端が尾栓の係止段に当接する。
【０００９】
従って、内ノブに対して尾栓は回動不能であるが外ノブは回動可能に構成される。
【００１０】
【実施例】
以下、図１、図２、図３、図４及び図５に基づいて本発明の芯濃度表示装置を備えるシャープペンシルの頭冠部材を説明する。尚、図１の左側を前方とし右側を後方とする。チャック１と、チャック１に連結された合成樹脂製の芯タンク２と、チャック１の頭部１Ａに外嵌された締リング３と、締リング３を受け止める連結具４と、連結具４と芯タンク２の間に張架されるスプリング５とによりシャープペンシルの機構部を構成する。前記芯タンク２内には芯６が収納されている。
【００１１】
更に、機構部の芯タンク２が挿通可能に軸筒７の前部孔７Ａを構成し、軸筒７の前端と軸筒７の前部に螺合された口金８の内段８Ａにより前記連結具４を挟持する。口金８内には芯６を適度の力で保持するゴム等の弾性体で構成された芯ホルダー９が内蔵されている。
【００１２】
軸筒７の前部細径部７Ｂには熱可塑性エラストマー好ましくはスチレン系エラストマー、またはシリコンゴムからなる滑り止め用のグリップ１０が取り付けられる。
【００１３】
更に、前記芯タンク２の後部に太径に形成された消しゴム保持部２Ａには、消しゴム１１が取り付けられる。
【００１４】
後端に鍔部１２Ａを形成した尾栓１２の周面に複数の芯濃度表示１２Ｂを等間隔に形成する。この尾栓１２の内孔内面には長手方向に伸びた突部１２Ｃと、突部１２Ｃと対向させて開口した開口窓１２Ｄを形成する。尾栓１２の後部外面には等間隔に複数の凹部１２Ｅを形成する。
【００１５】
この尾栓１２に外ノブ１３を被せ、外ノブ１３の後部内面に形成した内方突起１３Ａが前記尾栓１２の凹部１２Ｅに嵌合し、尾栓１２に対して外ノブ１３が回動可能に取り付けられる。外ノブ１３に形成される内方突起１３Ａは１つでも複数でも良いが、複数の場合には凹部１２Ｅと同じ間隔かあるいはその２倍の間隔にする必要がある。更に、外ノブ１３の後部に形成された内方突起１３Ａが尾栓１２の凹部１２Ｅに適度の力で係合される。しかも、尾栓１２の凹部１２Ｅに外ノブ１３の内方突起１３Ａが係合された位置で、尾栓１２に形成された芯濃度表示１２Ｂの１つが外ノブ１３に形成された円形の表示窓１３Ｂより目視可能となる。したがって、外ノブ１３を回動すると、表示窓１３Ｂより芯濃度表示１２Ｂが目視可能となった位置で適度の係合力が得られ、外ノブ１３の不必要な回動が規制される。
【００１６】
金属製の内ノブ１４は図４に示したように、筒部１４Ａと、筒部１４Ａより細径に絞られた細径部１４Ｂとからなり、この細径部１４Ｂに後端から長手方向前方に伸びた凹部１４Ｃを形成する。この内ノブ１４の筒部１４ＡはＵ字形に切り欠いて前部舌片１４Ｄを形成し、この前部舌片１４Ｄの先端は後方に向くように構成するとともに適宜外方に折り曲げて構成する。更に、内ノブ１４の細径部１４ＢにはＵ字形に切り欠いて後部舌片１４Ｅを形成し、この後部舌片１４Ｅの先端が前方に向くように構成するとともに適宜外方に折り曲げて構成する。
【００１７】
この内ノブ１４に、前述したように外ノブ１３を設けた尾栓１２を後方より被せ、内ノブ１４の凹部１４Ｃに尾栓１２の突部１２Ｃを係合し、尾栓１２の内面が内ノブ１４の後部舌片１４Ｅを乗り越え、内ノブ１４の前部舌片１４Ｄの先端が外ノブ１３の係止段１３Ｃに当接するとともに内ノブ１４の後部舌片１４Ｅの先端が尾栓１２の開口窓１２Ｄの前端に形成された係止段１２Ｆに当接する。従って、内ノブ１４に対して尾栓１２は回動不能に取り付けられる。また、内ノブ１４及び尾栓１２に対して外ノブ１３は回動可能に構成され、図１に示した頭冠部材が構成される。。
【００１８】
前述した尾栓１２、外ノブ１３及び内ノブ１４は前記芯タンク２の後部外側に着脱可能に嵌合され、前記消しゴム１１を覆うとともに軸筒７の後端より適宜突出して押圧可能に構成される。
【００１９】
上記のように、内ノブ１４を金属で作製した場合には、肉厚が薄く構成できるので、軸筒７を細く構成する場合には特に利点を有するものである。
【００２０】
以上のように構成されたシャープペンシルは、尾栓１２を押圧することによりチャック１及び芯タンク２が前進し、芯６が繰り出される。また、芯タンク２より内ノブ１４を外せば消しゴム１１が使用できる。
【００２１】
更に、外ノブ１３を回動し、外ノブ１３の表示窓１３Ｂから目視可能に露出する芯濃度表示１２Ｂを、現在使用中の芯６あるいはこれから使用しようとする芯６の濃度に合わせてシャープペンシルを使用する。
【００２２】
尚、本発明は上記実施例に限定されるものではなく、芯６を繰り出す機構は従来知られている種々の機構が利用できるものであり、例えば軸筒７あるいは芯タンク２といった部材は２個以上の部品を圧入、嵌合あるいは螺合等によって一体化してもよい。
【００２３】
【発明の効果】
以上説明した本発明の芯濃度表示を備えるシャープペンシルの頭冠部材は、尾栓に外ノブが円周方向等間隔に適度の力で係合されるので、尾栓に設けられた芯濃度表示と外ノブの表示窓が容易に合わされるとともに、使用中に芯濃度表示と表示窓の位置がずれる恐れがないという効果が奏せられる。更に、外ノブを回動可能に取り付けられた尾栓を、単に内ノブの後方より被せれば内ノブに尾栓が回動不能に取り付けられ、極めて簡単に製造できる効果も合わせて奏せられるものである。
【図面の簡単な説明】
【図１】本発明の芯濃度表示装置を備えるシャープペンシルの頭冠部材を示す断面図である。
【図２】図１のＡ−Ａ線を示す断面図である。
【図３】本発明の芯濃度表示装置を備えるシャープペンシルの頭冠部材を示す底面図である。
【図４】本発明の内ノブを示す底面図である。
【図５】本発明の頭冠部材を設けたシャープペンシルを示す断面図である。
【符号の説明】
１  チャック
２  芯タンク
６  芯
１２  尾栓
１２Ｂ  尾栓１２の芯濃度表示
１２Ｃ  尾栓１２の突部
１２Ｆ  尾栓１２の係止段
１３  外ノブ
１３Ｂ  外ノブ１３の表示窓
１３Ｃ  外ノブ１３の係止段
１４  内ノブ
１４Ｃ  内ノブ１４の凹部
１４Ｄ  内ノブ１４の前部舌片
１４Ｅ  内ノブ１４の後部舌片
【図１】
0004562111.tif 000002
【図２】
0004562111.tif 000003
【図３】
0004562111.tif 000004
【図４】
0004562111.tif 000005
【図５】
0004562111.tif 000006